【事件の表示】
　特許第３１３９０４８号「電子スチルカメラ」の請求項１に係る特許に対する特許異議の申立てについて、次のとおり決定する。
【結　論】
　訂正を認める。
　特許第３１３９０４８号の請求項１に係る特許を維持する。
【理　由】
１． 手続の経緯
　特許第３１３９０４８号の請求項１に係る発明は、平成３年５月２７日に特許出願され、平成１２年１２月１５日にその特許権の設定登録がなされ、その後、島田洋より特許異議の申立てがなされ、取消しの理由が通知され、その指定期間内である平成１４年４月５日に訂正請求がなされたものである。
　
２． 訂正の適否についての判断
（１） 訂正の内容
ア． 訂正事項ａ
　特許請求の範囲の請求項１の記載について、「【請求項１】撮像面に結像される被写体像の画像信号を出力する固体撮像素子と、この固体撮像素子に対する露光時間および絞り量を設定する露光時間および絞り量設定手段と、上記固体撮像素子より出力される画像信号を記憶する記憶手段と、上記固体撮像素子に対する露光時間が所定時間以内の場合は上記固体撮像素子より出力される画像信号を順次表示するとともに、上記固体撮像素子に対する露光時間が所定時間を超える場合は上記記憶手段に記憶された画像信号を読み出して上記固体撮像素子より出力される画像信号と混じえて表示する表示手段とを具備したことを特徴とする電子スチルカメラ。」とあるのを、「【請求項１】撮像面に結像される被写体像の画像信号を出力する固体撮像素子と、この固体撮像素子に対する露光時間および絞り量を設定する露光時間および絞り量設定手段と、上記固体撮像素子より出力される画像信号を記憶するフィールドメモリ手段と、上記画像信号の奇数フィールド信号を偶数フィールド信号に、または偶数フィールド信号を奇数フィールド信号に擬似的に変換する補間部と、上記固体撮像素子に対する露光時間が、１フィールド以内の場合は上記固体撮像素子より出力される画像信号を順次表示するとともに、上記固体撮像素子に対する露光時間が１フィールドを越える場合は上記フィールドメモリ手段に記憶された画像信号を読み出して上記補間部によって変換したうえで上記固体撮像素子より出力される画像信号と交互に表示し、さらに上記固体撮像素子に対する露光時間が２フィールドを越える場合は、上記固体撮像素子からの画像信号、上記フィールドメモリ手段より読み出され上記補間部によって変換された画像信号、および上記フィールドメモリ手段から読み出された画像信号を順番に表示する表示手段とを具備したことを特徴とする電子スチルカメラ。」と訂正する。
イ． 訂正事項ｂ
　明細書の「課題を解決するための手段」（段落【００１１】）の記載について、「本発明は、撮像面に結像される被写体像の画像信号を出力する固体撮像素子と、この固体撮像素子に対する露光時間および絞り量を設定する露光時間および絞り量設定手段と、上記固体撮像素子より出力される画像信号を記憶する記憶手段と、上記固体撮像素子に対する露光時間が所定時間以内の場合は上記固体撮像素子より出力される画像信号を順次表示するとともに、上記固体撮像素子に対する露光時間が所定時間を超える場合は上記記憶手段に記憶された画像信号を読み出して上記固体撮像素子より出力される画像信号と混じえて表示する表示手段とを具備したことを特徴とするように構成されている。」とあるのを、「本発明は、撮像面に結像される被写体像の画像信号を出力する固体撮像素子と、この固体撮像素子に対する露光時間および絞り量を設定する露光時間および絞り量設定手段と、上記固体撮像素子より出力される画像信号を記憶するフィールドメモリ手段と、上記画像信号の奇数フィールド信号を偶数フィールド信号に、または偶数フィールド信号を奇数フィールド信号に擬似的に変換する補間部と、上記固体撮像素子に対する露光時間が、１フィールド以内の場合は上記固体撮像素子より出力される画像信号を順次表示するとともに、上記固体撮像素子に対する露光時間が１フィールドを越える場合は上記フィールドメモリ手段に記憶された画像信号を読み出して上記補間部によって変換したうえで上記固体撮像素子より出力される画像信号と交互に表示し、さらに上記固体撮像素子に対する露光時間が２フィールドを越える場合は、上記固体撮像素子からの画像信号、上記フィールドメモリ手段より読み出され上記補間部によって変換された画像信号、および上記フィールドメモリ手段から読み出された画像信号を順番に表示する表示手段とを具備したことを特徴とするように構成されている。」と訂正する。
（２） 訂正の目的の適否、新規事項の有無及び拡張・変更の存否
　上記訂正事項ａは、発明を特定する事項である「記憶手段」をこれに含まれる事項である「フィールドメモリ手段」（以下（ａ）という）に変更し、発明を特定する事項である「上記画像信号の奇数フィールド信号を偶数フィールド信号に、または偶数フィールド信号を奇数フィールド信号に擬似的に変換する補間部」（以下（ｂ）という）を付加し、発明を特定する事項である「上記固体撮像素子に対する露光時間が所定時間以内の場合は上記固体撮像素子より出力される画像信号を順次表示するとともに、上記固体撮像素子に対する露光時間が所定時間を超える場合は上記記憶手段に記憶された画像信号を読み出して上記固体撮像素子より出力される画像信号と混じえて表示する表示手段」をこれに含まれる事項である「上記固体撮像素子に対する露光時間が、１フィールド以内の場合は上記固体撮像素子より出力される画像信号を順次表示するとともに、上記固体撮像素子に対する露光時間が１フィールドを越える場合は上記フィールドメモリ手段に記憶された画像信号を読み出して上記補間部によって変換したうえで上記固体撮像素子より出力される画像信号と交互に表示し、さらに上記固体撮像素子に対する露光時間が２フィールドを越える場合は、上記固体撮像素子からの画像信号、上記フィールドメモリ手段より読み出され上記補間部によって変換された画像信号、および上記フィールドメモリ手段から読み出された画像信号を順番に表示する表示手段」（以下（ｃ）という）に変更し、しかも、上記（ａ）（ｂ）（ｃ）については、願書に添付された明細書の段落【００３１】乃至【００３８】および図１，３，４，５に記載されているから、特許請求の範囲の減縮を目的とした明細書の訂正に該当し、また、上記訂正事項ｂは、訂正事項ａの訂正に対応した「課題を解決するための手段」の訂正であり、明細書または図面に記載した事項の範囲内の訂正であり、不明りょうな記載の釈明を目的とした明細書の訂正に該当し、いずれも、新規事項の追加に該当せず、実質上特許請求の範囲を拡張し、変更するものではない。
（３） むすび
　以上のとおりであるから、上記訂正は、特許法第１２０条の４第３項において準用する平成６年法律第１１６号による改正前の特許法第１２６条第１項ただし書、第２項及び第３項の規定に適合するので、当該訂正を認める。
　
３． 特許異議申立てについての判断
（１） 申立ての理由の概要
　申立人島田洋は、本件の請求項１に係る発明（以下、「本件発明」という。）は、甲第１号証（特開昭６３―１００８８０号公報）をもとに容易に発明をすることができたものであり、特許法第２９条第２項の規定により、特許を受けることができないものであるから、特許を取り消すべきと主張している。
（２） 本件の請求項１に係る発明
　上記２．で示したように上記訂正が認められるから、本件発明は、上記訂正請求に係る訂正明細書の特許請求の範囲の請求項１に記載された事項により特定されるとおりのものである。
（３） 刊行物等
　特許異議申立人が証拠として提示した刊行物（特開昭６３―１００８８０号公報（甲第１号証））には、以下の点が記載されている。
「本発明は、固体撮像装置に係り、特に静止画撮影機能も備えたビデオカメラの固体撮像装置に関する…（中略）…固体撮像素子を用いて撮像する装置には、ビデオカメラや電子カメラ等がある。」（２頁右上欄１７行〜左下欄４行）
「第１図は本発明の第１の実施例のブロック図である。図において、１は固体撮像素子（以下、単に撮像素子という）、２はＡ／Ｄ変換器、３はフィールドメモリ、４はＤ／Ａ変換器、５は撮像素子１の駆動回路、６は制御回路で、Ａ／Ｄ変換器２、Ｄ／Ａ変換器４の動作制御、フィールドメモリ３の書き込みと読み出しの制御、駆動回路５の駆動制御、スイッチ７の切り換え制御、シャッタ装置１０のシャッタの開閉制御を行う。８、１７は直流電源、９は出力端子、１６はシャッタのレリーススイッチである。なお、出力端子９の出力信号は、図示しない後続する信号処理回路を経て、モニタや電子ビューファインダ上に表示されたり、ビデオテープ上に記録されたりする。」（３頁右下欄２行〜右下欄１５行、第１図）
「この期間はシャッタを開き撮像素子１を露光する期間である。本実施例では、第１４図から明らかなように、このシャッタ開放期間をタイマＡ１８およびタイマＢ１９であらかじめ設定するようにしている。なお、このシャッタ開放期間は、既知の露光制御装置を用いて制御するようにしてもよい。この期間は、撮像素子１に信号電荷を蓄積するため該素子１の読み出しは停止する。また、図には示さなかったが、絞り制御装置により絞りは制御されている。スイッチ７の可動接点は、第１図および第１４図ともに固定接点ｃに接続されたままであるので、出力端子９からは直流電源８の電圧が出力される。」（５頁右上欄３行〜１５行、第１、１４図）
「スイッチ７の可動接点は、第１図では固定接点ｂと、第１４図では固定接点ｂおよびｃ’と接続されるので、撮像素子１から読み出された信号が出力端子９から出力される。すなわち、動画撮影状態となる。」（５頁右下欄１５行〜１８行、第１４図）
「本実施例によれば、凡そ、レリーススイッチが押されるまでは通常の動画が得られ、レリーススイッチが押されて静止画撮影のための露光が終了するまではレリーススイッチを押した時の画面をフリーズした静止画が得られ、前記露光終了後は静止画撮影を行なった静止画が得られるというように、画面が途切れないという利点がある。」（６頁右下欄１３行〜７頁左上欄２行）
「第１１図は本発明の第７の実施例を示すブロック図である。同図において、第１図と同一符号は同一または同等部分部をあらわしている。１５は被写体の照度を測定する測光装置である。この測光装置１５における被写体の照度の測定は、撮像素子１より得られる映像信号、あるいは別個に設けた受光素子の出力信号に基づいてなされる。」（８頁右下欄１１行〜１７行、第１１図）
「ところで、低照度下で撮影すると、撮像素子より得られる信号電荷が少ないためにＳ／Ｎが劣化し良好な画面が得られない。そこで、本実施例では後述するように、低照度下では信号電荷の蓄積時間、すなわち露光時間を通常の露光時間（１フィールドで１／６０秒）より長くし、その分信号電荷量を増やしてＳ／Ｎの向上を図るようにした。しかし、このようにすると撮像素子１から１／６０秒に１フィールド分の映像信号を得ることができず、間欠的な画面しか得られない。そこで、本実施例では間欠的に得られる映像信号をフィールドメモリ３に記憶し、映像信号が欠落する期間、上記フィールドメモリ３の内容を繰り返し出力することにより連続的な画面を得るようにした。以下、本実施例の動作を詳細に説明する。測光装置１５で得た被写体の照度に応じた信号（以下、測光出力信号という）は、Ａ／Ｄ変換器５３によりデジタル化されてマイクロプロセッサ５２に入力される。マイクロプロセッサ５２では測光出力信号をもとに適正な撮像素子１の露光時間を演算し、各出力端子Ａ，Ｂ，Ｃからそれぞれハイレベル信号またはローレベル信号を出力することにより、後述するところから明らかなように、露光時間を１フィールドの整数倍とする。」（９頁左上欄６行〜右上欄１１行）
「本実施例では、前記出力信号ＨはＡ／Ｄ変換器２の駆動制御信号およびスイッチ７の切り換え制御信号としても使っている。また、該出力信号Ｈと垂直同期信号Ｖpの論理積をとるＡＮＤ回路５４の出力信号Ｊは、書き込み制御信号としてフィールドメモリ３に供給される。この結果、出力信号Ｈがハイレベルの期間Ａ／Ｄ変換器２が動作状態になると共にフィールドメモリ３が書き込み状態となるので撮像素子１の１フィールド分の出力信号がフィールドメモリ３に書き込まれる。また、これと同時にスイッチ７の可動接点は固定接点ｂと接続することになるので、該撮像素子１の出力信号は出力端子９から出力される。なお、スイッチ７の可動接点は、出力信号Ｈがローレベルの期間は固定接点aと接続する。また、ＡＮＤ回路５０には前記出力信号Ｈの逆位相の信号と垂直同期信号Ｖpが入力されているので、ＡＮＤ回路５０からはこの両信号の論理積の信号、すなわち出力信号Ｉが出力される。この出力信号Ｉはフィールドメモリ３の読み出し制御信号として使われる。また、前記出力信号Ｈの並位相の信号はＤ／Ａ変換器４の駆動制御信号として使われる。この結果、撮像素子１の読み出し停止期間は、フィールドメモリ３の内容が繰り返し読み出される。したがって、上記動作を繰り返すことによって、低照度下でも高Ｓ／Ｎであり、かつ連続した画面を得ることができる。第１２図は上述した動作により得られる本実施例の主要な信号を、第２図と同様に示したタイミングチャートである。すなわち、少なくとも時刻ｔ1〜ｔ2の期間、露光することにより撮像素子１に蓄積された信号は時刻ｔ2〜ｔ3の期間に出力端子９から出力されると同時にフィールドメモリ３に書き込まれる。そして、次の露光期間（時刻ｔ3〜ｔ4）にフィールドメモリ３に書き込まれた信号は繰り返し読み出されて出力信号９から出力されるようになる。」（９頁右下欄２行〜１０頁右上欄３行、第１２図）
　してみると、上記刊行物には、以下の発明（以下、刊行物発明という）が記載されている。
「固体撮像装置に係り、特に静止画撮影機能も備えたビデオカメラの固体撮像装置に関するものであって、固体撮像素子、Ａ／Ｄ変換器、フィールドメモリ、Ｄ／Ａ変換器、撮像素子の駆動回路、Ａ／Ｄ変換器、Ｄ／Ａ変換器の動作制御、フィールドメモリの書き込みと読み出しの制御、駆動回路の駆動制御、スイッチの切り換え制御、シャッタ装置のシャッタの開閉制御を行う制御回路、レリーススイッチ、絞り制御装置を有し、出力端子の出力信号を電子ビューファインダ上に表示し、出力信号はＡ／Ｄ変換器の駆動制御信号およびスイッチの切り換え制御信号としても使っており、出力信号がハイレベルの期間Ａ／Ｄ変換器が動作状態になると共にフィールドメモリが書き込み状態となるので撮像素子の１フィールド分の出力信号がフィールドメモリに書き込まれ、これと同時に、該撮像素子の出力信号は出力端子から出力され、撮像素子の読み出し停止期間は、フィールドメモリの内容が繰り返し読み出される動作を繰り返すことによって、低照度下でも高Ｓ／Ｎであり、かつ連続した画面を得ることができものであり、レリーススイッチが押されるまでは通常の動画が得られ、レリーススイッチが押されて静止画撮影のための露光が終了するまではレリーススイッチを押した時の画面をフリーズした静止画が得られ、前記露光終了後は静止画撮影を行なった静止画が得られるものであり、低照度下では信号電荷の蓄積時間、すなわち露光時間を通常の露光時間より長くし、その分信号電荷量を増やしてＳ／Ｎの向上を図るようにしたものであり、間欠的に得られる映像信号をフィールドメモリに記憶し、映像信号が欠落する期間、上記フィールドメモリの内容を繰り返し出力することにより連続的な画面を得るようにした固体撮像装置。」
（４） 対比・判断
　本件発明と刊行物発明とを対比すると、
ａ．刊行物発明の「固体撮像素子」は、固体撮像装置のものであり、撮像面に結像される被写体像の画像信号を出力するものであることは明らかであるから、本件発明の「固体撮像素子」に相当する。
ｂ．刊行物発明の「シャッタの開閉制御を行う制御回路、絞り制御装置」は、シャッタの開閉制御により露光時間を制御しており、絞りも絞り制御装置によって制御しているのであり、いずれも被写体の光量等に応じて適宜設定していることは明らかであるから、本件発明の「露光時間および絞り量設定手段」に相当する。
ｃ．刊行物発明の「フィールドメモリ」は、固体撮像素子出力の画像信号を記憶しているものであるから、本件発明の「フィールドメモリ手段」に相当する。
ｄ．刊行物発明の「固体撮像装置」は、静止画を撮影する機能を有するものであり、本件発明と同様の電子ビューファインダへの出力を行うものであるから、本件発明と同様「電子スチルカメラ」の機能を有している。
ｅ．刊行物発明の表示手段は、１フィールド以内の場合は上記固体撮像素子より出力される画像信号を順次表示するとともに、上記固体撮像素子に対する露光時間が１フィールドを越える場合は上記フィールドメモリ手段に記憶された画像信号を読み出して表示する表示手段である点において本件発明ものと対応する。
ｆ．してみれば、両者は「撮像面に結像される被写体像の画像信号を出力する固体撮像素子と、この固体撮像素子に対する露光時間および絞り量を設定する露光時間および絞り量設定手段と、上記固体撮像素子より出力される画像信号を記憶するフィールドメモリ手段と、固体撮像素子に対する露光時間が、１フィールド以内の場合は上記固体撮像素子より出力される画像信号を順次表示するとともに、上記固体撮像素子に対する露光時間が１フィールドを越える場合は上記フィールドメモリ手段に記憶された画像信号を読み出して表示する表示手段とを具備したことを特徴とする電子スチルカメラ。」で一致するものの、以下の点で相違する。すなわち、
　ア．表示手段について、本件発明が、「画像信号の奇数フィールド信号を偶数フィールド信号に、または偶数フィールド信号を奇数フィールド信号に擬似的に変換する補間部」を有し、「固体撮像素子に対する露光時間が１フィールドを越える場合は上記フィールドメモリ手段に記憶された画像信号を読み出して上記補間部によって変換したうえで上記固体撮像素子より出力される画像信号と交互に表示し、さらに上記固体撮像素子に対する露光時間が２フィールドを越える場合は、上記固体撮像素子からの画像信号、上記フィールドメモリ手段より読み出され上記補間部によって変換された画像信号、および上記フィールドメモリ手段から読み出された画像信号を順番に表示する」ものであるのに対し、刊行物発明は、補間部についての記載がなく、同様の場合については、固体撮像素子に対する露光時間が１フィールドを越える場合は上記フィールドメモリ手段に記憶された画像信号を読み出して表示する点
　そして、当該相違点により本件発明は、露光時間を長時間に設定しても表示手段の表示に充分の明るさが確保でき、固体撮像素子に対する露光時間が、１フィールド以内の場合、１フィールドを越える場合、２フィールドを越える場合それぞれの場合において撮影時と同じ条件で被写体の画像状態を良好に確認できるという顕著な効果を奏するのであり、本件発明が上記刊行物発明から容易に発明をすることができたものとはいえない。
　
（５） むすび
　以上のとおりであるから、特許異議申立ての理由及び証拠によっては、本件請求項１に係る特許を取り消すことができない。
　また、他に本件請求項１に係る特許を取り消すべき理由を発見しない。
　よって、結論のとおり決定する。
【異議決定日】
平成１４年４月２５日（２００２．４．２５）
【訂正の要旨】
○訂正の内容
１．訂正事項ａ
　特許請求の範囲の請求項１の記載について、「【請求項１】撮像面に結像される被写体像の画像信号を出力する固体撮像素子と、この固体撮像素子に対する露光時間および絞り量を設定する露光時間および絞り量設定手段と、上記固体撮像素子より出力される画像信号を記憶する記憶手段と、上記固体撮像素子に対する露光時間が所定時間以内の場合は上記固体撮像素子より出力される画像信号を順次表示するとともに、上記固体撮像素子に対する露光時間が所定時間を超える場合は上記記憶手段に記憶された画像信号を読み出して上記固体撮像素子より出力される画像信号と混じえて表示する表示手段とを具備したことを特徴とする電子スチルカメラ。」とあるのを、「【請求項１】撮像面に結像される被写体像の画像信号を出力する固体撮像素子と、この固体撮像素子に対する露光時間および絞り量を設定する露光時間および絞り量設定手段と、上記固体撮像素子より出力される画像信号を記憶するフィールドメモリ手段と、上記画像信号の奇数フィールド信号を偶数フィールド信号に、または偶数フィールド信号を奇数フィールド信号に擬似的に変換する補間部と、上記固体撮像素子に対する露光時間が、１フィールド以内の場合は上記固体撮像素子より出力される画像信号を順次表示するとともに、上記固体撮像素子に対する露光時間が１フィールドを越える場合は上記フィールドメモリ手段に記憶された画像信号を読み出して上記補間部によって変換したうえで上記固体撮像素子より出力される画像信号と交互に表示し、さらに上記固体撮像素子に対する露光時間が２フィールドを越える場合は、上記固体撮像素子からの画像信号、上記フィールドメモリ手段より読み出され上記補間部によって変換された画像信号、および上記フィールドメモリ手段から読み出された画像信号を順番に表示する表示手段とを具備したことを特徴とする電子スチルカメラ。」と訂正する。
２．訂正事項ｂ
　明細書の「課題を解決するための手段」（段落【００１１】）の記載について、「本発明は、撮像面に結像される被写体像の画像信号を出力する固体撮像素子と、この固体撮像素子に対する露光時間および絞り量を設定する露光時間および絞り量設定手段と、上記固体撮像素子より出力される画像信号を記憶する記憶手段と、上記固体撮像素子に対する露光時間が所定時間以内の場合は上記固体撮像素子より出力される画像信号を順次表示するとともに、上記固体撮像素子に対する露光時間が所定時間を超える場合は上記記憶手段に記憶された画像信号を読み出して上記固体撮像素子より出力される画像信号と混じえて表示する表示手段とを具備したことを特徴とするように構成されている。」とあるのを、「本発明は、撮像面に結像される被写体像の画像信号を出力する固体撮像素子と、この固体撮像素子に対する露光時間および絞り量を設定する露光時間および絞り量設定手段と、上記固体撮像素子より出力される画像信号を記憶するフィールドメモリ手段と、上記画像信号の奇数フィールド信号を偶数フィールド信号に、または偶数フィールド信号を奇数フィールド信号に擬似的に変換する補間部と、上記固体撮像素子に対する露光時間が、１フィールド以内の場合は上記固体撮像素子より出力される画像信号を順次表示するとともに、上記固体撮像素子に対する露光時間が１フィールドを越える場合は上記フィールドメモリ手段に記憶された画像信号を読み出して上記補間部によって変換したうえで上記固体撮像素子より出力される画像信号と交互に表示し、さらに上記固体撮像素子に対する露光時間が２フィールドを越える場合は、上記固体撮像素子からの画像信号、上記フィールドメモリ手段より読み出され上記補間部によって変換された画像信号、および上記フィールドメモリ手段から読み出された画像信号を順番に表示する表示手段とを具備したことを特徴とするように構成されている。」と訂正する。
（５４）【発明の名称】
電子スチルカメラ
（５７）【特許請求の範囲】
　【請求項１】　撮像面に結像される被写体像の画像信号を出力する固体撮像素子と、
　この固体撮像素子に対する露光時間および絞り量を設定する露光時間および絞り量設定手段と、
　
上記固体撮像素子より出力される画像信号を記憶するフィールドメモリ手段と、
　
上記画像信号の奇数フィールド信号を偶数フィールド信号に、または偶数フィールド信号を奇数フィールド信号に擬似的に変換する補間部と、
　
上記固体撮像素子に対する露光時間が、１フィールド以内の場合は上記固体撮像素子より出力される画像信号を順次表示するとともに、上記固体撮像素子に対する露光時間が１フィールドを越える場合は上記フィールドメモリ手段に記憶された画像信号を読み出して上記補間部によって変換したうえで上記固体撮像素子より出力される画像信号と交互に表示し、さらに上記固体撮像素子に対する露光時間が２フィールドを越える場合は、上記固体撮像素子からの画像信号、上記フィールドメモリ手段より読み出され上記補間部によって変換された画像信号、および上記フィールドメモリ手段から読み出された画像信号を順番に表示する表示手段と
【発明の詳細な説明】
　【０００１】
　【産業上の利用分野】
　本発明は、固体撮像素子（以下、ＣＣＤと称する。）にて電子的に撮像された静止画像信号を記録するようにした電子スチルカメラに関するものである。
　【０００２】
　【従来の技術】
　最近、ＣＣＤを用いて電子的に撮像された静止画像信号を磁気ディスクや半導体メモリなどの記録部に記録するようにした電子スチルカメラが種々開発されている。
　【０００３】
　このような電子スチルカメラは、光学レンズ系を通してＣＣＤで電子的に撮像された静止画像信号をビデオプロセッサに入力し、ここでＹ／Ｃ分離などの所定の信号処理を実行したのち、データ圧縮手段により所定のデータ圧縮を行ない記録部に記録するようになっている。そして、この記録部に記録された静止画像は、例えばテレビジョン受像機を用いて再生できるようにしている。
　【０００４】
　この場合、電子スチルカメラに用いられているＣＣＤは、フィールドモードとフレームモードを外部より駆動制御できるようになっており、使用目的によって特徴のある画像を得られるようにしている。
　【０００５】
　ところで、電子スチルカメラにより撮影を行う場合、一般には被写体条件に応じて撮影者がシャッタスピードと絞り値の組み合わせを決定するようにしているが、最近のプログラムＡＥを採用したものは、被写体の明るさに応じてシャッタスピードと絞り値の組み合わせを自動的に決定するようにしたものもある。
　【０００６】
　これらシャッタスピードと絞り値の組み合わせは、撮影画像の品質に大きく影響するものであり、このため撮影者にとって撮影時と同じ条件の画像状態を簡単に確認できることが望まれている。
　【０００７】
　このような要求に対して、従来では、画像再生機能を用意し撮影後に画像を再生することで、その状態を確認できるようにしたものが考えられている。しかし、この方法は、撮影後の画像を確認するのであって撮影をしたい現時点の画像状態を確認するものでないことから、改めて正式な撮影を行うとなると、折角のシャッタチャンスを逃してしまうことがあり、また、撮影も二度手間となって取扱いも面倒になる欠点もあった。
　【０００８】
　一方、電子スチルカメラには、ビューファインダとして光学式のものが広く採用されているが、最近になってビューファインダにもＣＣＤによる撮像出力を利用すると、光学式のビューファインダを別途に設ける必要がなく、コストダウンが可能になるなどの理由から実用化されている。
　【０００９】
　ところが、ＣＣＤによる撮像出力を利用したビューファインダの再生像の品質は、周囲の明るさによって影響を受け、特に暗い場所においてＣＣＤの露光時間がビデオ信号のフィールド周波数（ＮＴＳＣの場合１／６０）のＮフィールドにも亘るような場合、ＣＣＤからの撮像出力は、Ｎフィールドに１回しか出力されなくなるため、ビューファインダの再生像として十分の明るさが確保できなくなることがあった。また、例えば、数秒にも及ぶ露光時間を設定した場合、この間ＣＣＤからの撮像出力が得られないため、ビューファインダには撮影したい被写体が何も見えなくなるという事態を生じる欠点もあった。
　【００１０】
　【発明が解決しようとする課題】
　このように従来の電子スチルカメラにあって、ビューファインダにＣＣＤによる撮像出力を利用するものでは、暗い場所などでは、ビューファインダの再生像に十分の明るさが確保できないか、または数秒にも及ぶ露光時間を設定した場合には、ビューファインダに撮影したい被写体が何も見えなくなる時間ができるという欠点があった。本発明の目的は、露光時間を長時間に設定できビューファインダに十分の明るさの表示が確保できる電子スチルカメラを提供することにある。
　【００１１】
　【課題を解決するための手段】
　本発明は、撮像面に結像される被写体像の画像信号を出力する固体撮像素子と、この固体撮像素子に対する露光時間および絞り量を設定する露光時間および絞り量設定手段と、
上記固体撮像素子より出力される画像信号を記憶するフィールドメモリ手段と、上記画像信号の奇数フィールド信号を偶数フィールド信号に、または偶数フィールド信号を奇数フィールド信号に擬似的に変換する補間部と、上記固体撮像素子に対する露光時間が、１フィールド以内の場合は上記固体撮像素子より出力される画像信号を順次表示するとともに、上記固体撮像素子に対する露光時間が１フィールドを越える場合は上記フィールドメモリ手段に記憶された画像信号を読み出して上記補間部によって変換したうえで上記固体撮像素子より出力される画像信号と交互に表示し、さらに上記固体撮像素子に対する露光時間が２フィールドを越える場合は、上記固体撮像素子からの画像信号、上記フィールドメモリ手段より読み出され上記補間部によって変換された画像信号、および上記フィールドメモリ手段から読み出された画像信号を順番に表示する表示手段と
　【００１２】
　【００１３】
　【作用】
　この結果、本発明によれば撮影時と同じ条件の画像の状態を、表示手段にリアルタイムで表示でき、撮影条件として最適な状態を選択できるようになる。
　【００１４】
　また、本発明によれば露光時間が長時間に及んでも、疑似画像信号を出力できることから、表示手段に表示される再生像に十分の明るさが確保できるようになる。
　【００１５】
　【実施例】
　以下、本発明の一実施例を図面に従い説明する。
　【００１６】
　図１は、同実施例の概略構成を示すものである。図において、１１は光学レンズ系で、この光学レンズ系１１は、ＣＣＤ１２の撮像面に被写体像を結像するようにしている。この場合、光学レンズ系１１は、例えば、図示しない光学系駆動部により、ＣＣＤ１２の撮像面に結像する被写体像に対する焦点調整（フォーカシング制御）などを可能にしている。この光学レンズ系１１の制御については、従来より種々提唱されている電子スチルカメラの制御方式を適宜採用して行なわれる。光学レンズ系１１とＣＣＤ１２の間に、ＣＣＤ１２に対する露光量を制御する絞り１３を配置している。
　【００１７】
　この場合、ＣＣＤ１２は、電子シャッタ制御回路１４により露光時間が制御され、絞り１３は、絞り制御回路１５により絞り量が制御されるようにしている。また、電子シャッタ制御回路１４および絞り制御回路１５は、プログラムＡＥ制御回路１６の出力により露光時間および絞りが決定されるようになっている。
　【００１８】
　プログラムＡＥ制御回路１６は、例えば、図２に示すようなプログラムチャートに従って露光時間および絞りを決定するようにしたもので、図に示すプログラムチャートでは、露光時間Ｔ、絞りＦおよび被写体の明るさＥＶの関係をモード１〜５についてそれぞれ設定しており、例えば、モード１が設定された状態で、被写体の明るさとしてＥＶ７が与えられると、露光時間Ｔとして１／８、絞りＦとしてＦ４が決定され、これらが電子シャッタ制御回路１４および絞り制御回路１５に対して出力されるようになっている。
　【００１９】
　ＣＣＤ１２の撮像面に結像された被写体像に相当する静止画像信号は、アンプ１７を介してＡ／Ｄ変換器１８に送られる。ここで、アンプ１７は、静止画像信号を所定の信号処理レベルに増幅するものである。また、Ａ／Ｄ変換器１８は、ＣＣＤ１２より出力される画像信号を例えば８ビットの信号としてディジタル化するようにしている。
　【００２０】
　Ａ／Ｄ変換器１８でディジタル化された画像信号は、フィールドメモリ１９に送られる。フィールドメモリ１９は、１フィールド分の画像信号を一時的に記憶するもので、タイミング発生器２１の出力ＷＥによりその書き込み読取りが制御される。
　【００２１】
　フィールドメモリ１９からの出力とＡ／Ｄ変換器１８からの出力は、切換えスイッチ２０に送られる。この切換えスイッチ２０は、タイミング発生器２１の出力ＷＥが「＝１」の時「１」側に、出力ＷＥが「＝０」の時「０」側にそれぞれ切り替えられるようになっている。
　【００２２】
　切換えスイッチ２０を通した出力は、ライン補間部２２に送られる。このライン補間部２２は、フィールドメモリ１９に一時的に記憶した１フィールド分の画像信号に対してラインを補間することで、Ｏｄｄ（奇数）フィールドの画像信号をＥｖｅｎ（偶数）フィールドの画像信号に、逆にＥｖｅｎフィールドの画像信号をＯｄｄフィールドの画像信号にそれぞれ疑似的に変換するためのものである。
　【００２３】
　ライン補間部２２からの出力と切換えスイッチ２０を通した出力は、切換えスイッチ２３に送られる。この切換えスイッチ２３は、タイミング発生器２１の出力ＳＥＬが「＝１」の時「１」側に、出力ＳＥＬが「＝０」の時「０」側にそれぞれ切り替えられるようになっている。
　【００２４】
　そして、この切換えスイッチ２３を通した出力は、Ｄ／Ａ変換器２４に送られ、アナログ信号に変換され、ビューファインダ２５に出力され、また、ビデオ信号としても出力可能になっている。
　【００２５】
　なお、タイミング発生器２１は、上述した電子シャッタ制御回路１４および絞り制御回路１５の動作タイミングを制御する信号も出力するようにしている。また、フィールドメモリ１９に書き込まれる画像信号は、図示しないシャッタボタンが押されると、メモリカード２６に転送され、ここに記憶されるようになっている。次に、以上のように構成した実施例の動作を説明する。まず、撮影時と同じ条件の画像状態を確認可能にする場合を説明する。
　【００２６】
　いま、光学レンズ系１１より絞り１３を介して取り込まれた被写体像がＣＣＤ１２の撮像面に結像されると、ＣＣＤ１２より被写体像に相当する画像信号が出力される。
　【００２７】
　この場合、ＣＣＤ１２は、電子シャッタ制御回路１４により露光時間が制御され、絞り１３は、絞り制御回路１５により絞り量が制御されるようになるが、これら露光時間および絞り量は、プログラムＡＥ制御回路１６のプログラムチャートに従って決定される。例えば、プログラムＡＥ制御回路１６に、図２に示すようなプログラムチャートが設定されているものとすると、モード１が設定された状態で、被写体の明るさがＥＶ７の場合、露光時間Ｔとして１／８、絞りＦとしてＦ４が決定され、これら露光時間「１／８」、絞り「Ｆ４」によりＣＣＤ１２および絞り１３が制御されるようになる。
　【００２８】
　そして、ＣＣＤ１２より出力された画像信号は、アンプ１７で所定の信号処理レベルに増幅され、Ａ／Ｄ変換器１８に送られ、ここで例えば８ビットの信号としてディジタル化されフィールドメモリ１９に送られる。この場合、タイミング発生器２１により電子シャッタ制御回路１４および絞り制御回路１５の動作タイミングとフィールドメモリ１９の書き込みタイミングを合わせることにより撮影をしようとしている被写体像の画像信号を逐一フィールドメモリ１９に書き込むようにする。
　【００２９】
　この場合、タイミング発生器２１よりＷＥ「０」、ＳＥＬ「１」を出力して切換えスイッチ２０を「０」側、切換えスイッチ２３を「１」側にそれぞれ切り替え、フィールドメモリ１９に書き込まれる画像信号を、一方で常時読み出すようにする。これにより、フィールドメモリ１９より読み出された画像信号は、Ｄ／Ａ変換器２４でアナログ信号に変換され、ビューファインダ２５に表示されるようになり、ビューファインダ２５を覗いている撮影者は、撮影しようとしている画像状態をリアルタイムで確認できることになる。
　【００３０】
　そして、この状態からシャッタチャンスを待って、図示しないシャッタボタンを押し操作すると、フィールドメモリ１９の書き込みが中断され、この時点でフィールドメモリ１９に書き込まれている画像信号がメモリカード２６に転送され記憶されるようになる。次に、露光時間が長時間に及んでもビューファインダの再生像に十分の明るさを確保可能にする場合を説明する。
　【００３１】
　いま、光学レンズ系１１より絞り１３を介して取り込まれた被写体像がＣＣＤ１２の撮像面に結像されると、ＣＣＤ１２より被写体像に相当する画像信号が出力される。
　【００３２】
　この場合も、ＣＣＤ１２の露光時間は、電子シャッタ制御回路１４により制御され、絞り１３の絞り量は、絞り制御回路１５により制御されるが、仮に、周囲が暗い場所で撮影を行なおうとした際、ＣＣＤ１２の露光時間がビデオ信号のフィールド周波数のＮフィールドにも亘るようなことがある。
　【００３３】
　図３は、ＣＣＤ１２の露光時間が同図（ａ）に示すようにＮ＝２となる場合を示している。この場合、ＣＣＤ１２からの出力は、同図（ｂ）に示すようにＯｄｄフィールドのみで有効となるので、最初に、このＯｄｄフィールドのタイミングで、タイミング発生器２１によりフィールドメモリ１９に書き込み指示を与え、同時に同図（ｃ）（ｄ）に示すようにＷＥ「１」、ＳＥＬ「１」を出力して、切換えスイッチ２０、２３をそれぞれ「１」側に切り替える。すると、Ａ／Ｄ変換器１８によりデジタル化されたＣＣＤ１２のＯｄｄフィールドの画像信号がフィールドメモリ１９に書き込まれると同時に、切換えスイッチ２０、２３を通してＤ／Ａ変換器２４に送られ、アナログ信号に変換されてビューファインダ２５に出力される。
　【００３４】
　次に、Ｅｖｅｎフィールドのタイミングに移ったところで、タイミング発生器２１によりフィールドメモリ１９に読みだし指示を与え、同時に同図（ｃ）（ｄ）に示すようにＷＥ「０」、ＳＥＬ「０」を出力し、切換えスイッチ２０、２３をそれぞれ「０」側に切り替える。すると、Ｏｄｄフィールドで読み込まれたフィールドメモリ１９の画像信号が、切換えスイッチ２０を通してライン補間部２２に送られ、ここでのライン補間され疑似的にＥｖｅｎフィールドの画像信号に変換され、切換えスイッチ２３を通してＤ／Ａ変換器２４に送られ、アナログ信号に変換されてビューファインダ２５に出力される。
　【００３５】
　従って、以下同様な動作を繰り返すことによりビューファインダ２５には、ＣＣＤ１２より出力される画像信号とフィールドメモリ１９に読み出された画像信号より疑似的に作られた画像信号が交互に出力されるようになるので、ビューファインダ２５の再生像に、十分の明るさを確保できるようになる。
　【００３６】
　次に、図４は、ＣＣＤ１２の露光時間が同図（ａ）に示すようにＮ＝３となる場合を示している。この場合、ＣＣＤ１２からの出力は、同図（ｂ）に示すようにＯｄｄフィールドとＥｖｅｎフィールドで有効となる。この場合も、最初にタイミング発生器２１によりＯｄｄフィールドのタイミングで、フィールドメモリ１９に書き込み指示を与え、同時に同図（ｃ）（ｄ）に示すようにＷＥ「１」、ＳＥＬ「１」を出力して、切換えスイッチ２０、２３をそれぞれ「１」側に切り替える。これによりＣＣＤ１２のＯｄｄフィールドの画像信号は、フィールドメモリ１９に書き込まれると同時に、切換えスイッチ２０、２３、Ｄ／Ａ変換器２４を通してビューファインダ２５に出力される。次に、Ｅｖｅｎフィールドのタイミングに移ったところで、タイミング発生器２１によりフィールドメモリ１９に読みだし指示を与え、同時に同図（ｃ）（ｄ）に示すようにＷＥ「０」、ＳＥＬ「０」を出力し、切換えスイッチ２０、２３をそれぞれ「０」側に切り替える。これによりＯｄｄフィールドで読み込まれたフィールドメモリ１９の画像信号は、切換えスイッチ２０を通してライン補間部２２に与えられ、ここでライン補間して疑似的にＥｖｅｎフィールドの画像信号に変換され、切換えスイッチ２３、Ｄ／Ａ変換器２４を通してビューファインダ２５に出力される。次に、再びＯｄｄフィールドのタイミングに移ると、タイミング発生器２１により引き続きフィールドメモリ１９に読みだし指示を与え、同時にＷＥ「０」、ＳＥＬ「１」を出力し、切換えスイッチ２０を「０」側のままで、切換えスイッチ２３を「１」側に切り替える。フィールドメモリ１９の画像信号は、切換えスイッチ２０、２３を通してＤ／Ａ変換器２４よりビューファインダ２５に出力される。
　【００３７】
　従って、以下同様な動作を繰り返すことによりＣＣＤ１２からの画像信号、フィールドメモリ１９より読み出された画像信号から疑似的に作られた画像信号およびフィールドメモリ１９から読み出された画像信号が順番に出力されるようになるので、ビューファインダ２５の再生像に、十分の明るさを確保できるようになる。
　【００３８】
　次に、図５は、ＣＣＤ１２の露光時間が同図（ａ）に示すようにＮ＝４となる場合を示している。この場合は、ＣＣＤ１２からの画像信号、フィールドメモリ１９から読み出された画像信号から疑似的に作られた画像信号、フィールドメモリ１９から読み出された画像信号およびフィールドメモリ１９から読み出された画像信号から疑似的に作られた画像信号が順番に出力されるようになり、ビューファインダ２５の再生像に、十分の明るさを確保できるようになる。
　【００３９】
　以上の説明では、ＣＣＤの露光時間がＮ＝４の場合まで述べたが、例えば数秒にも及ぶ露光時間を設定した場合にも、上述したと同様な動作によりビューファインダに撮影したい被写体が何も見えなくなるという事態を回避することができる。
　【００４０】
　なお、本発明は上記実施例にのみ限定されず、要旨を変更しない範囲で適宜変形して実施できる。例えば、上述した実施例では、ＣＣＤ１２の露光時間と絞り１３の絞り量をプログラムＡＥ制御回路のプログラムチャートに従って求めるような場合を述べたが、これら露光時間および絞り量を手動により設定する場合にも本発明は適用できる。
　【００４１】
　【発明の効果】
　本発明の電子スチルカメラは、露光時間を長時間に設定できるので表示手段の表示に十分の明るさの表示が確保できることから、暗い場所での撮影もビューファインダで確認しながら確実に行うことができ、しかも数秒にも及ぶ露光時間が設定された場合にも、表示手段に被写体の画像を出力することができるようになり、表示手段に撮影したい被写体が何も見えなくなるような事態を回避することもできる。
　【００４２】
【図面の簡単な説明】
　【図１】
　本発明の一実施例の回路構成を示すブロック図。
　【図２】
　図１の一実施例に用いられるプログラムＡＥ制御回路でのプログラムチャートの一例を示す図。
　【図３】
　図１の一実施例の動作を説明するためのタイムチャート。
　【図４】
　図１の一実施例の動作を説明するためのタイムチャート。
　【図５】
　図１の一実施例の動作を説明するためのタイムチャート。
　【符号の説明】
　１１…光学レンズ系、１２…ＣＣＤ、１３…絞り、１４…電子シャッタ制御回路、１５…絞り制御回路、１６…プログラムＡＥ制御回路、１７…アンプ、１８…Ａ／Ｄ変換器、１９…フィールドメモリ、２０、２３…切換えスイッチ、２１…タイミング発生器、２２…ライン補間部、２４…Ｄ／Ａ変換器、２５…ビューファインダ、２６…メモリカード。